(57)【特許請求の範囲】
【請求項１】
投入されてきた投入硬貨の変形量を判断する変形硬貨検出装置であって、
前記投入硬貨が搬送される搬送プレートと、
前記搬送プレートに前記投入硬貨を押圧して搬送する繰込ローラ及び繰出ローラと、
前記投入硬貨の前記搬送プレート側を下部側としたとき、当該下部側が所定の変形許容範囲以上変形している変形硬貨であるか否かを検出する下部変形硬貨検出部と、
前記投入硬貨の前記搬送プレートと反対側を上部側としたとき、当該上部側が所定の変形許容範囲以上変形している前記変形硬貨であるか否かを検出する上部変形硬貨検出部と、
を備え、前記変形許容範囲は、前記投入硬貨の金種に応じて選択又は設定できることを特徴とする変形硬貨検出装置。
【請求項２】
請求項１に記載の変形硬貨検出装置であって、
前記投入硬貨が搬送されてきたことを検出する投入硬貨検出部を備えることを特徴とする変形硬貨検出装置。
【請求項３】
投入硬貨が硬貨であるか否かを判断すると共に、硬貨の場合には金種を判断して排出し、その際に前記判断結果を金種情報として出力する硬貨投入装置と、
前記金種情報に基づき前記投入硬貨の変形量が変形許容範囲であるか否かを判断し、その判断結果及び前記金種情報を硬貨情報として出力する請求項１又は２に記載の変形硬貨検出装置と、
前記硬貨情報に基づき、前記投入硬貨が硬貨でない非硬貨や前記変形硬貨の場合には、排出するように搬送路を切り換え、変形量が前記変形許容範囲内の場合には収納するように搬送路を切り換える硬貨収納装置と、
を備えることを特徴とする硬貨処理システム。
【発明の詳細な説明】
【技術分野】
【０００１】
本発明は、変形硬貨を検出する変形硬貨検出装置及びそれを用いた硬貨処理システムに関する。
【背景技術】
【０００２】
変形硬貨を検出するために、硬貨認識等に利用されている磁気センサの出力信号を用いる方法が知られている。しかし、この構成の場合、磁気センサは主に搬送方向の中央部分の読み取る行うため、中央部分以外での変形が検出できない問題がある。
【０００３】
また、磁気センサが変形領域を検出していても、変形量や変形状態によっては出力信号レベルが異なるため、適切な変形状態等を判断できない。このとき、変形量や変形状態に対する判断基準を小さくすることも可能であるが、この場合には硬貨のバラツキにより、正常な硬貨までも変形硬貨と判断してしまうことがある。
【０００４】
なお、イメージセンサを設けて、変形硬貨を検出することも可能である。例えば、特開平９−１５９４３３号公報においては、画像処理によりパレットを自動検査できるようにした構成が開示されており、かかる技術を変形硬貨の検出に利用することも可能である。
【先行技術文献】
【特許文献】
【０００５】
【特許文献１】特開平９−１５９４３３号公報
【発明の概要】
【発明が解決しようとする課題】
【０００６】
しかしながら、特開平９−１５９４３３号公報にかかる技術を変形硬貨の検出に利用する場合、画像処理に伴うコストアップや画像処理に大きな情報処理負荷が必要となり、変形硬貨検出装置のコストダウンが図れず、また信頼性を向上させることができない問題がある。
【０００７】
そこで、本発明の主目的は、画像処理を行うことなく、安価かつ簡単な構成で、変形硬貨が検出できるようにした変形硬貨検出装置及びそれを用いた硬貨処理システムを提供することである。
【課題を解決するための手段】
【０００８】
上記課題を解決するため、投入されてきた投入硬貨の変形量を判断する変形硬貨検出装置にかかる発明は、投入硬貨が搬送される搬送プレートと、搬送プレートに投入硬貨を押圧して搬送する繰込ローラ及び繰出ローラと、投入硬貨の搬送プレート側を下部側としたとき、当該下部側が所定の変形許容範囲以上変形している変形硬貨であるか否かを検出する下部変形硬貨検出部と、投入硬貨の搬送プレートと反対側を上部側としたとき、当該上部側が所定の変形許容範囲以上変形している変形硬貨であるか否かを検出する上部変形硬貨検出部と、を備えることを特徴とする。
【０００９】
また、硬貨処理システムにかかる発明は、投入硬貨が硬貨であるか否かを判断すると共に、硬貨の場合には金種を判断して排出し、その際に判断結果を金種情報として出力する硬貨投入装置と、金種情報に基づき投入硬貨の変形量が変形許容範囲であるか否かを判断し、その判断結果及び金種情報を硬貨情報として出力する請求項１乃至３のいずれか１項に記載の変形硬貨検出装置と、硬貨情報に基づき、投入硬貨が硬貨でない非硬貨や変形硬貨の場合には、排出するように搬送路を切り換え、変形量が変形許容範囲内の場合には収納するように搬送路を切り換える硬貨収納装置と、を備えることを特徴とする。
【発明の効果】
【００１０】
本発明によれば、画像処理等を行うことなく、安価かつ簡単な構成で、変形硬貨が検出できるようになる。
【図面の簡単な説明】
【００１１】
【図１】第１実施形態にかかる硬貨処理システムの概略構成を示す図である。
【図２】変形硬貨検出装置の構成を示す図で、（ａ）は上面図、（ｂ）は（ａ）におけるＡ−Ａ断面図である。
【図３】投入硬貨が変形していない場合の出力信号レベルの時間変化を示した図である。
【図４】投入硬貨が変形している場合の出力信号レベルの時間変化を示した図で、（ａ）は投入硬貨が上部側に変形している場合、（ｂ）は下部側が変形している場合の図である。
【図５】投入硬貨が湾曲している場合の出力信号レベルの時間変化を示した図で、（ａ）は投入硬貨が下部側に湾曲している場合、（ｂ）は上部側に湾曲している場合の図である。
【図６】投入硬貨が膨らんでいる場合の出力信号レベルの時間変化を示した図で、（ａ）は投入硬貨が上部側に膨らんでいる場合、（ｂ）は下部側に膨らんでいる場合の図である。
【図７】第２実施形態における下部変形検出光及び上部変形検出光を複数設けた場合の構成図である。
【発明を実施するための形態】
【００１２】
＜第１実施形態＞
本発明の第１実施形態を説明する。図１は、本実施形態にかかる硬貨処理システム２の概略構成を示す図である。
【００１３】
なお、硬貨処理システム２に投入される物体には、硬貨でない場合（例えば、外国の硬貨等）、硬貨であっても変形量が変形許容範囲を超えた硬貨、変形許容範囲内の硬貨がある。そこで、以下の説明では、硬貨でない物体を非硬貨、硬貨であっても変形量が変形許容範囲を超えた硬貨を変形硬貨、変形許容範囲内の硬貨を良貨と記載する。また、非硬貨及び変形硬貨を総称して悪貨と記載する。さらに、良貨及び悪貨を総称して投入硬貨と記載する。
【００１４】
この硬貨処理システム２は、硬貨投入装置１０、変形硬貨検出装置２０、硬貨収納装置３０、制御装置４０を主要構成とする。
【００１５】
硬貨投入装置１０は、投入口１１、認識部１２を備える。
【００１６】
そして、投入硬貨は投入口１１に投入されて、１枚ずつ認識部１２に繰り出される。認識部１２は、投入硬貨が非硬貨で有るか否かを判断し、非硬貨でない場合には金種を判断する。この判断結果（投入硬貨が非硬貨であるか否かの判断結果、及び、金種の判断結果）は、金種情報Ｇ１として投入硬貨と共に変形硬貨検出装置２０に出力される。
【００１７】
変形硬貨検出装置２０は、認識部１２からの金種情報Ｇ１に基づき、投入硬貨が硬貨である場合（非硬貨でない場合）に、当該硬貨の変形が変形許容範囲を超えるか否かを検出する。検出結果は、硬貨情報Ｇ２として硬貨収納装置３０に出力される。なお、硬貨情報Ｇ２には、変形情報と金種情報Ｇ１とが含まれる。
【００１８】
硬貨収納装置３０は、ゲート部３１、悪貨排出ベルト３２、悪貨排出口３３、収納庫３４、出金ゲート３５、出金搬送ベルト３６、出金口３７を備える。
【００１９】
ゲート部３１は、変形硬貨検出装置２０からの硬貨情報Ｇ２に基づき、投入硬貨が悪貨の場合には当該投入硬貨の搬送先が悪貨排出ベルト３２の方向になるように搬送路切換を行う。一方、良貨の場合には、当該良貨の搬送先を収納庫３４の方向になるように搬送路切換を行う。
【００２０】
悪貨排出ベルト３２は、ゲート部３１を介して搬入されてきた悪貨を悪貨排出口３３に搬送する。
【００２１】
収納庫３４は、変形硬貨検出装置２０からの硬貨情報Ｇ２に基づき、硬貨を所定位置に収納し、当該硬貨情報Ｇ２を収納情報Ｇ３として制御装置４０に出力する。
【００２２】
出金ゲート３５は、制御装置４０からの出金情報Ｇ４に基づき、収納庫３４に収納された硬貨を出金搬送ベルト３６に繰出す。出金搬送ベルト３６は、出金ゲート３５で繰り出された硬貨を出金口３７に搬送する。
【００２３】
次に、変形硬貨検出装置２０の構成について説明する。図２は、変形硬貨検出装置２０の構成を示す図で、（ａ）は上面図、（ｂ）は（ａ）におけるＡ−Ａ断面図である。
【００２４】
変形硬貨検出装置２０は、搬送プレート４１、繰込ローラ４２、繰出ローラ４３、投入硬貨検出部４４、下部変形硬貨検出部４５、上部変形硬貨検出部４６、センサハウジング４７を主要構成とする。
【００２５】
搬送プレート４１は、認識部１２から送られてきた硬貨の通路をなすプレートである。繰込ローラ４２は、硬貨をセンサハウジング４７側に向けて繰り込むローラである。繰出ローラ４３は、硬貨をセンサハウジング４７から繰り出すローラである。
【００２６】
投入硬貨検出部４４は、投入検出用発光器４４ａと投入検出用受光器４４ｂとを備えて、投入硬貨が変形硬貨検出装置２０に搬送されてきたことを検出する。投入検出用発光器４４ａと投入検出用受光器４４ｂとは、搬送プレート４１の搬送面を介して対向した配置されている。
【００２７】
そこで、投入検出用発光器４４ａからの光Ｌ１（以下、投入硬貨検出光と記載）が、搬送プレート４１を通過して投入検出用受光器４４ｂに入射できるように、当該搬送プレート４１の幅中央部には穴４４ｃが形成されている。
そして、投入硬貨が投入硬貨検出光Ｌ１を遮ったとき、投入硬貨検出部４４は、投入硬貨が搬入されてきたと判断する。
【００２８】
下部変形硬貨検出部４５は、下部変形検出光Ｌ２を放射する下部変形用発光器４５ａと、当該下部変形検出光Ｌ２を受光する下部変形用受光器４５ｂとを備えている。このとき、下部変形用発光器４５ａ及び下部変形用受光器４５ｂが、下部変形検出光Ｌ２が搬送プレート４１のプレート面に平行、かつ、当該プレート面から所定高さの下部検出位置を幅方向に放射されるように、配置されている。
【００２９】
そして、下部変形用受光器４５ｂに下部変形検出光Ｌ２が受光されるか否かに応じて、投入硬貨の下部側が変形許容範囲以上の変形をしているか否かを判断する。なお、下部側とは硬貨が接する搬送プレート４１側とし、この搬送プレート４１と反対側を上部側とする。
【００３０】
また、下部検出位置とは、下部側の変形許容範囲を規定する位置で、硬貨の下部側の変形部分が、この下部検出位置より高いとき、硬貨の下部変形量は変形許容範囲より大きいとする。
【００３１】
従って、硬貨の下部側変形量が変形許容範囲内の場合には、下部変形用受光器４５ｂは下部変形検出光Ｌ２を受光することができないので、その出力信号レベルはＬｏｗレベルとなる。
【００３２】
一方、当該変形量が、変形許容範囲を超えている場合には、下部変形用受光器４５ｂは下部変形検出光Ｌ２を受光することができるので、その出力信号レベルはＨｉｇｈレベルとなる。
【００３３】
上部変形硬貨検出部４６は、上部変形検出光Ｌ３を放射する上部変形用発光器４６ａと、当該上部変形検出光Ｌ３を受光する上部変形用受光器４６ｂとを備えている。このとき、上部変形用発光器４６ａ及び上部変形用受光器４６ｂは、上部変形検出光Ｌ３が搬送プレート４１のプレート面に平行、かつ、当該プレート面から所定高さの上部検出位置を幅方向に放射されるように、配置されている。
【００３４】
そして、上部変形用受光器４６ｂに上部変形検出光Ｌ３が受光されるか否かに応じて、投入硬貨の上部側が変形許容範囲以上の変形をしているか否かを判断する。
【００３５】
また、上部検出位置とは、上部側の変形許容範囲を規定する位置で、硬貨の上部側の変形部分が、この上部検出位置より高いとき、硬貨の上部変形量は変形許容範囲を超えているとする。
【００３６】
従って、硬貨の上部側変形量が変形許容範囲内の場合には、上部変形用受光器４６ｂは上部変形検出光Ｌ３を受光することができないので、その出力信号レベルはＬｏｗレベルとなる。
【００３７】
一方、当該変形量が、変形許容範囲を超えている場合には、上部変形用受光器４６ｂは上部変形検出光Ｌ３を受光することができるので、その出力信号レベルはＨｉｇｈレベルとなる。
【００３８】
センサハウジング４７は、下部変形硬貨検出部４５及び上部変形硬貨検出部４６の変形用発光器４５ａ，４６ａを支持する支持部材４７ａ、変形用受光器４５ｂ，４６ｂを支持する支持部材４７ｂを備える。この支持部材４７ａと支持部材４７ｂとは、搬送プレート４１を挟んで幅方向に対向配置されている。
【００３９】
なお、センサハウジング４７には、センシング精度を向上させるためのアパーチャ４７ｃ，４７ｄが設けられている。従って、アパーチャ４７ｃを通過した下部変形検出光Ｌ２のみが下部変形用受光器４５ｂで検出され、アパーチャ４７ｄを通過した上部変形検出光Ｌ３のみが上部変形用受光器４６ｂで検出される。
【００４０】
次に、このような構成の硬貨処理システム２の動作を図３〜図６を参照して説明する。
【００４１】
投入口１１に投入された投入硬貨は、一枚ずつ認識部１２に送られる。認識部１２は投入硬貨が非硬貨であるか否かを判断し、非硬貨でない場合には金種を判断する。この判断結果は、金種情報Ｇ１として変形硬貨検出装置２０に出力される。
【００４２】
投入硬貨は、認識部１２から変形硬貨検出装置２０に送られる。このとき、投入硬貨が投入硬貨検出光Ｌ１を遮ると、投入硬貨検出部４４は、投入硬貨が搬送されてきたと判断する。これにより繰込ローラ４２は、投入硬貨を搬送プレート４１側に押圧しながら回転して、当該投入硬貨を下部変形硬貨検出部４５と上部変形硬貨検出部４６との変形検出領域Ｋ（図２（ｂ）参照）に送り込む。
【００４３】
この変形検出領域Ｋは、搬送プレート４１と繰込ローラ４２と繰出ローラ４３とにより形成される空間であり、下部変形検出光Ｌ２及び上部変形検出光Ｌ３が通過する空間である。
【００４４】
そして、変形硬貨検出装置２０は、投入硬貨の変形を検出する。硬貨の変形パターンは、種々のパターンが考えられる。以下においては、
ケース１：図３に示すように、投入硬貨が変形していない場合（変形が変形許容範囲の場合を含む）、
ケース２：図４（ａ）に示すように、投入硬貨が上部側に変形している場合、又は、図４（ｂ）に示すように、下部側が変形している場合、
ケース３：図５（ａ）に示すように、投入硬貨が下部側に湾曲している場合、又は、図５（ｂ）に示すように、上部側に湾曲している場合、
ケース４：図６（ａ）に示すように、投入硬貨が上部側に膨らんでいる場合、又は図６（ｂ）に示すように下部側に膨らんでいる場合、に分けて説明する。
【００４５】
なお、図３〜図６は、硬貨が上部変形検出光Ｌ３及び下部変形検出光Ｌ２を遮らない（通過）した場合、及び、遮った場合（遮光）の上部変形硬貨検出部４６における上部変形用受光器４６ｂの出力信号レベル、及び、下部変形硬貨検出部４５における下部変形用受光器４５ｂの出力信号レベルの時間変化を示した図である。
【００４６】
ケース１：硬貨が変形していない場合（変形が変形許容範囲の場合を含む）
投入硬貨が変形していない場合は、図３に示すように、投入硬貨は上部変形検出光Ｌ３を遮らないので、出力信号レベルはＨｉｇｈレベルのままである（Ｒ１）。
【００４７】
一方、投入硬貨は、下部変形検出光Ｌ２を遮るので、出力信号レベルは投入硬貨の長さＬに対応した時間ＴだけＬｏｗレベルレベルとなる（Ｒ２）。なお、投入硬貨の長さＬに対応した時間Ｔとは、Ｔ＝Ｌ／（投入硬貨の搬送速度）で定義する時間である。従って、この出力信号レベルの組み合わせが検出されたときに、変形硬貨検出装置２０は、投入硬貨は変形していないと判断する。
【００４８】
ケース２：硬貨が上部側又は下部側に変形している場合
投入硬貨の上部側が変形している場合は、図４（ａ）に示すように、投入硬貨における上部側の変形領域Ｍ１１が、上部変形検出光Ｌ３を遮るので、この間だけ出力信号レベルはＬｏｗレベルとなる（Ｒ１１）。また、下部変形検出光Ｌ２は遮られた状態が継続するため、出力信号レベルは、時間ＴだけＬｏｗレベルとなる。従って、この出力信号レベルの組み合わせが検出されたときに、変形硬貨検出装置２０は、投入硬貨における上部側の変形量が変形許容範囲を超えていると判断する。
【００４９】
一方、投入硬貨の下部側が変形している場合は、図４（ｂ）に示すように、下部側の変形領域Ｍ１２に対応する上部側の領域Ｍ１３が上部変形検出光Ｌ３を遮るので、出力信号レベルはＬｏｗレベルとなる（Ｒ１３）。また、変形領域Ｍ１２、及び、搬送プレート４１に接している正常な領域Ｍ１４は、下部変形検出光Ｌ２を遮るので、この間は出力信号レベルがＬｏｗレベルとなる（Ｒ１２，Ｒ１４）。従って、この出力信号レベルの組み合わせが検出されたとき、変形硬貨検出装置２０は、投入硬貨における下部側の変形量が変形許容範囲を超えていると判断する。
【００５０】
ケース３：投入硬貨が下部側に湾曲している場合は、図５（ａ）に示すように、上部側の変形領域Ｍ２１、Ｍ２２が上部変形検出光Ｌ３を遮るので、出力信号レベルはＬｏｗレベルとなる（Ｒ２１、Ｒ２２）。また、この変形領域Ｍ２１、Ｍ２２に対応する下部側の領域Ｍ２３，Ｍ２４は、搬送プレート４１から浮き上がっているので、当該領域Ｍ２３，Ｍ２４で挟まれる領域Ｍ２５は下部変形検出光Ｌ２を遮光して、出力信号レベルは時間Ｔ１（Ｔ１＜Ｔ）だけＬｏｗレベルとなる（Ｒ２５）。従って、この出力信号レベルの組み合わせが検出されたときに、変形硬貨検出装置２０は、投入硬貨における下部側の変形量は変形許容範囲を超えていると判断する。
【００５１】
一方、投入硬貨が下部側に湾曲している場合は、図５（ｂ）に示すように、下部側の変形領域Ｍ２６、Ｍ２７が下部変形検出光Ｌ２を遮るので、出力信号レベルは時間Ｔ２（Ｔ２＜Ｔ１）だけＬｏｗレベルとなる（Ｒ２７、Ｒ２６）。また、変形領域Ｍ２６，Ｍ２７で挟まれる領域Ｍ２９は、搬送プレート４１から浮き上がっているので、下部変形検出光Ｌ２は通過して、出力信号レベルは時間Ｔ３（Ｔ３＜Ｔ）だけＨｉｈｇとなる（Ｒ２３）。さらに、領域Ｍ２９に対向する上部側の領域Ｍ２８は、上部変形検出光Ｌ３を遮光するので、出力信号レベルはＬｏｗレベルとなる（Ｒ２８）。従って、この出力信号レベルの組み合わせが検出されたときに、変形硬貨検出装置２０は、投入硬貨における上部側の変形量は変形許容範囲を超えていると判断する。
【００５２】
ケース４：投入硬貨が上部側に膨らんでいる場合は、図６（ａ）に示すように、膨らんだ領域Ｍ３１が上部変形検出光Ｌ３を遮るので、出力信号レベルは時間Ｔ４（Ｔ４＜Ｔ）だけＬｏｗレベルとなる（Ｒ３１）。また、下部側は常に下部変形検出光Ｌ２を遮光するので、出力信号レベルは時間ＴだけＬｏｗレベルとなる（Ｒ３２）。従って、この出力信号レベルの組み合わせが検出されたときに、変形硬貨検出装置２０は、投入硬貨における下部側の変形量は許容範囲を超えていると判断する。
【００５３】
一方、投入硬貨が下部側に膨らんでいる場合は、図６（ｂ）に示すように、膨らんだ領域Ｍ３３が下部変形検出光Ｌ２を遮り、両端の領域Ｍ３３，Ｍ３２で下部変形検出光Ｌ２が通過するので、出力信号レベルは時間Ｔ５（Ｔ５＜Ｔ）だけＬｏｗレベルとなる（Ｒ３３）。また、上部側は常に上部変形検出光Ｌ３を遮光するので、出力信号レベルは時間ＴだけＬｏｗレベルとなる（Ｒ３４）。従って、この出力信号レベルの組み合わせが観測されたときに、変形硬貨検出装置２０は、投入硬貨における下部側の変形量は許容範囲を超えていると判断する。
【００５４】
このようにして、投入硬貨の変形量が変形許容範囲を超えているか否かを判断すると、変形硬貨検出装置２０は、判断結果を硬貨情報Ｇ２としてゲート部３１に出力する。なお、硬貨情報Ｇ２には、認識部１２からの金種情報Ｇ１（非硬貨であるか否かを示す情報、及び、硬貨の金種を示す情報）と共に、変形硬貨検出装置２０で検出した変形判断結果を示す情報が含まれる。
【００５５】
そこで、ゲート部３１は、悪貨（投入硬貨が非硬貨や変形硬貨）、当該悪貨の搬送先が悪貨排出ベルト３２となるように搬送路の切換を行う。一方、良貨の場合には、良貨の搬送先が収納庫３４となるように搬送路を切り換えると共に、硬貨情報Ｇ２を収納庫３４に出力する。
【００５６】
悪貨排出ベルト３２に搬送された悪貨は、当該悪貨排出ベルト３２で悪貨排出口３３に排出される。一方、収納庫３４に搬送された良貨は、硬貨情報Ｇ２に基づき金種毎のように分けられて収納されると共に、硬貨情報Ｇ２は収納情報Ｇ３として制御装置４０に出力される。制御装置４０は、この収納情報Ｇ３に基づき収納金額や金種を管理する。なお、硬貨情報には、悪貨の情報も含まれるため、制御装置４０は、当該悪貨情報も管理しても良い。
【００５７】
その後、ユーザからの指示等に基づき制御装置４０は、出金情報Ｇ４を出金ゲート３５に出力する。出金ゲート３５は、出金情報Ｇ４に基づき、支持された金種、金額を収納庫３４から出金搬送ベルト３６に排出する。出金搬送ベルト３６は、排出された硬貨を出金口３７に搬送する。
【００５８】
以上説明したように、悪貨及び変形硬貨を悪貨排出口３３に排出されるので、変形硬貨等による搬送の引っ掛かり、詰まりの障害が防止できる。
【００５９】
＜第２実施形態＞
次に、本発明の第２実施形態を説明する。なお、第１実施形態と同一構成に関しては同一符号を用い説明を適宜省略する。
【００６０】
第１実施形態では、硬貨の変形は、金種等にかかわらず、一義的に判断した。これはセンサハウジング４７が、搬送プレート４１に対して下部変形硬貨検出部４５及び上部変形硬貨検出部４６の位置を固定しているためである。これに対し、第２実施形態では、下部変形硬貨検出部４５及び上部変形硬貨検出部４６の位置を、金種等に応じて変えるようにした。
【００６１】
具体的には、図７に示すように、下部変形検出光Ｌ２，上部変形検出光Ｌ３を複数設けて、どの検出光が遮られるかに応じて変形量を判断し、またその変形量が金種的に許容されるか否かを判断する。これにより、種々の変形許容範囲が設定できて、詳細な変形状態を管理することが可能になる。
【符号の説明】
【００６２】
２    硬貨処理システム
１０    硬貨投入装置
１１    投入口
１２    認識部
２０    変形硬貨検出装置
３０    硬貨収納装置
３１    ゲート部
３２    悪貨排出ベルト
３３    悪貨排出口
３４    収納庫
３５    出金ゲート
３６    出金搬送ベルト
３７    出金口
４０    制御装置
４１    搬送プレート
４２    繰込ローラ
４３    繰出ローラ
４４    投入硬貨検出部
４４ａ    投入検出用発光器
４４ｂ    投入検出用受光器
４５    下部変形硬貨検出部
４５ａ  変形用発光器
４５ａ    下部変形用発光器
４５ｂ    下部変形用受光器
４６    上部変形硬貨検出部
４６ａ    変形用発光器
４６ｂ    上部変形用受光器
４７    センサハウジング
４７ａ    支持部材
４７ｂ    支持部材
４７ｃ    アパーチャ
４７ｄ    アパーチャ
Ｇ１    金種情報
Ｇ２    硬貨情報
Ｇ３    収納情報
Ｇ４    出金情報
Ｋ    変形検出領域
Ｌ１    投入硬貨検出光
Ｌ２    下部変形検出光
Ｌ３    上部変形検出光
【図１】
0006577196.tif 000002
【図２】
0006577196.tif 000003
【図３】
0006577196.tif 000004
【図４】
0006577196.tif 000005
【図５】
0006577196.tif 000006
【図６】
0006577196.tif 000007
【図７】
0006577196.tif 000008